(57)【特許請求の範囲】
【請求項１】
シンクを有するコア部と、該コア部に天板を有するテーブルを備えた実験台であって、前記シンクの前面上部には隙間が形成され、前記シンクの上方には蓋部材が着脱自在に載置され、前記蓋部材が前記コア部の前面に沿って、略垂直状態で支持されることを特徴とする実験台。
【請求項２】
前記蓋部材に、前記蓋部材の前記シンクへの載置状態における上面から上方に突出する把手を設けたことを特徴とする請求項１に記載の実験台。
【請求項３】
前記把手は、前記蓋部材の前記シンクへの載置状態において、前後方向に向く把持部を備えるものとしたことを特徴とする請求項２に記載の実験台。
【請求項４】
前記蓋部材の裏面には係合部又は被係合部が、前記コア部の前面には被係合部又は係合部がそれぞれ設けられ、該被係合部に前記係合部を係合させることで、前記蓋部材が前記コア部の前面に沿って、略垂直状態で支持されることを特徴とする請求項１ないし３のいずれかに記載の実験台。
【請求項５】
前記蓋部材の裏面の幅方向に所定間隔で、少なくとも一対の突起を離間して配置し、該突起の後端が前記係合部又は被係合部よりも突設されたことを特徴とする請求項４に記載の実験台。
【請求項６】
前記一対の突起は、少なくとも前記係合部又は被係合部よりも下方に配置されたことを特徴とする請求項５に記載の実験台。
【請求項７】
前記所定間隔は前記一対の突起が前記シンクの内周面に嵌合される間隔幅を有していることを特徴とする請求項５または６に記載の実験台。
【請求項８】
前記突起には弾性部材を用いたことを特徴とする請求項５ないし７のいずれかに記載の実験台。
【請求項９】
前記蓋部材が略垂直で支持される状態において、前記蓋部材の裏面には下向きに折曲形成された係合部が設けられ、前記コア部の前面には前記係合部が係合される上面視コ字状の被係合部が設けられ、該被係合部に前記係合部を係合させることを特徴とする請求項４ないし８のいずれかに記載の実験台。
【請求項１０】
前記テーブルの天板と、前記シンクの上方に取り付けた際の前記蓋部材との上面が面一であることを特徴とする請求項１ないし９のいずれかに記載の実験台。
【発明の詳細な説明】
【技術分野】
【０００１】
本発明は、シンクを有するコア部と、該コア部に隣接した天板を有するテーブルを備えた実験台に関する。
【背景技術】
【０００２】
従来の実験台は、シンク本体を中央位置、その両脇に実験台に適した天板を備えたテーブルを配置したもので、特に学校等の実験室に多く存在し公知である。シンク本体には水やガスを供給可能な水道管およびガス管や排水管が備えられていることから、この設置位置は固定されている。テーブルは実験中に移動しないようにシンク本体に対し、移動不能に一体で固定されている。
【０００３】
シンク本体の上部には、シンクを備えた取付台が設けられるとともに、この取付台の前面には天板面が形成されている。取付台の両側板は支軸を介してシンク本体側に軸支され支持されており、シンクの使用時には、取付台が支軸を介して前方に揺動されることで天板面が前面垂直状態となり、シンクの不使用時には、支軸を介して上方に揺動されることで天板面が上面水平状態に切替え可能な構成になっており、天板面がテーブルの天板と等高位置に切替えられ、テーブルの天板と天板面が広いテーブル面として利用可能となっている（例えば、特許文献１参照）。
【先行技術文献】
【特許文献】
【０００４】
【特許文献１】特開平５−３８４５６号公報（段落０００７〜０００９、図１〜図３）
【発明の概要】
【発明が解決しようとする課題】
【０００５】
しかしながら特許文献１にあっては、シンクの使用時／不使用時の切替えが容易に行えるものの、シンクを備える取付台を別体としてシンク本体内に揺動可能に取り付けたため構造が複雑となるとともに、シンク本体と取付台の間には少なからず隙間が生じるために、蛇口からの水やシンクに流し込まれる液体等が、この隙間を介してシンク本体の内部に入り込む虞があるばかりか、この水分によりシンク内に湿気が溜まるようになり、天板等の部材を傷めてしまうという問題がある。
【０００６】
本発明は、このような問題点に着目してなされたもので、シンク本体の構造を複雑にすることなく、シンクの使用時と不使用時の切替えが簡便に行え、シンクの使用時には、水や液体等がシンク本体内に入り込むことなく利用できるとともに、シンクの不使用時には、シンクの上部がテーブルとして利用可能であり、かつシンク内に残った水分により他の部材を傷めることを防止できる実験台を提供することを目的とする。
【課題を解決するための手段】
【０００７】
上記課題を解決するために、本発明の実験台は、
シンクを有するコア部と、該コア部に天板を有するテーブルを備えた実験台であって、前記シンクの前面上部には隙間が形成され、前記シンクの上方には蓋部材が着脱自在に載置され、前記蓋部材が前記コア部の前面に沿って、略垂直状態で支持されることを特徴としている。
この特徴によれば、蓋部材が着脱自在にして、シンクの不使用状態から使用状態への切替えを迅速かつ簡便に行えるとともに、蓋部材が前記コア部の前面に沿って、略垂直状態で支持されるので、シンクの使用時に蓋部材が邪魔になることもない。さらに、シンクはコア部に一体で設けられるので、水や液体等がコア部の内部に入り込むことはなく利用できる。シンクの不使用時には、シンクの上方に蓋部材が取り付けられるのでシンクが閉塞され、蓋部材を隣接したテーブルと合わせて広いテーブルとして利用することができる。そして、シンクの不使用時にシンクの内面に水分等が残っていても、シンクの前面上部の隙間から水分が蒸発するようになり、シンク内に湿気が溜まらず蓋部材や天板等の実験台を構成する他の部材を傷めることを防止できる。なお、シンクの上方に蓋部材が載置された状態において、シンクの前面上部の隙間から手を入れて蓋部材の縁を把持することも可能になり、この蓋部材の縁を把持しながら蓋部材を取り外すことができる。
【０００８】
本発明の実験台は、
前記蓋部材に、前記蓋部材の前記シンクへの載置状態における上面から上方に突出する把手を設けたことを特徴としている。
この特徴によれば、把手を蓋部材に突出して設けたことで把持し易くなるとともに、この把手を握ることで容易に蓋部材を持ち上げて、シンクの上方とコア部の前面との間での移動操作を簡便に行うことができる。
【０００９】
本発明の実験台は、
前記把手は、前記蓋部材の前記シンクへの載置状態において、前後方向に向く把持部を備えるものとしたことを特徴としている。
この特徴によれば、蓋部材をシンク上方からコア部の前面に略垂直状態で支持する際に、蓋部材を把手部の前後方向と同じ方向に沿ってシンクの前方に移動しながら、蓋部材をコア部の前面に沿うように円滑に回動して略垂直状態に操作でき、また逆に蓋部材をコア部の前面からシンク上方に載置する際も同様に円滑に操作できるので、蓋部材の操作が楽であり、しかも、蓋部材をシンク上方からコア部の前面に移動する際には、蓋部材の前端側が使用者に当たる危険性を回避でき、蓋部材をコア部の前面からシンク上方に移動する際には、蓋部材の下端側が使用者に当たる危険性を回避できる。
【００１０】
本発明の実験台は、
前記蓋部材の裏面には係合部又は被係合部が、前記コア部の前面には被係合部又は係合部がそれぞれ設けられ、該被係合部に前記係合部を係合させることで、前記蓋部材が前記コア部の前面に沿って、略垂直状態で支持されることを特徴としている。
この特徴によれば、コア部の前面側に被係合部又は係合部を, 蓋部材の裏面には係合部又は被係合部を設けたことで、シンクの不使用状態から使用状態への切替えを迅速かつ簡便に行える。
【００１１】
本発明の実験台は、
前記蓋部材の裏面の幅方向に所定間隔で、少なくとも一対の突起を離間して配置し、該突起の後端が前記係合部又は被係合部よりも突設されたことを特徴としている。
この特徴によれば、係合部又は被係合部よりも一対の突起の後端が後方に向けて突設されていることから、コア部の前面に蓋部材が略垂直で支持された状態では、常に係合部又は被係合部がコア部の前面に直に当接することを防止できるので、コア部の前面を傷めることが未然に防止されるとともに、この一対の突起によって蓋部材が安定してコア部の前面に保持される。
【００１２】
本発明の実験台は、
前記一対の突起は、少なくとも前記係合部又は被係合部よりも下方に配置されたことを特徴としている。
この特徴によれば、蓋部材が略垂直で支持される状態において、蓋部材は、係合部又は被係合部よりも下方の部位がコア部の前面に接触され易くなっており、一対の突起によって、蓋部材がコア部の前面に接触されることを防止できる。
【００１３】
本発明の実験台は、
前記所定間隔は前記一対の突起が前記シンクの内周面に嵌合される間隔幅を有していることを特徴としている。
この特徴によれば、シンクの上方に蓋部材が取り付けられると、シンクの内周面に突起が嵌合されるので、シンクに安定して蓋部材を保持できガタツキも防止されるとともに、安易にシンクから蓋部材が取り外れることがないので、蓋部材を使用し易いテーブルとして利用できる。
【００１４】
本発明の実験台は、
前記突起には弾性部材を用いたことを特徴としている。
この特徴によれば、蓋部材の着脱を長期に渡り繰り返し行っても、緩衝性の高い弾性部材によって、突起と当接するコア部の前面や突起と嵌合するシンクの内周面を傷めることがない。
【００１５】
本発明の実験台は、
前記蓋部材が略垂直で支持される状態において、前記蓋部材の裏面には下向きに折曲形成された係合部が設けられ、前記コア部の前面には前記係合部が係合される上面視コ字状の被係合部が設けられ、該被係合部に前記係合部を係合させることを特徴としている。
この特徴によれば、被係合部が上面視コ字状の形状のため、蓋部材をシンク側からコア部の前面に沿うように下方に移動させるだけで、係合部が被係合部に案内され円滑に係合されるとともに、その係合の解除も蓋部材を上方に移動させるだけで簡便に行える。
【００１６】
本発明の実験台は、
前記テーブルの天板と、前記シンクの上方に取り付けた際の前記蓋部材との上面が面一であることを特徴としている。
この特徴によれば、蓋部材と天板との高さ位置を共通とすることで、同一高さの広いテーブルとして利用できる。
【図面の簡単な説明】
【００１７】
【図１】本発明の実施例１における実験台の全体像を示す斜視図である。
【図２】（ａ）は、シンクから取り外された蓋部材の収納状態を示す斜視図であり、（ｂ）は、コア部のシンク上部に蓋部材を取り付けた斜視図である。
【図３】（ａ）は蓋部材の背面図であり、（ｂ）は（ａ）のＡ−Ａ線の側断面図である。
【図４】蓋部材をコア部の前面に取り付ける過程を示す要部拡大側面図である。
【図５】蓋部材をシンクに取り付ける過程を示す要部拡大側面図である。
【図６】本発明の実施例２における蓋部材をコア部に取り付けた斜視図である。
【図７】本発明の実施例３における実験台の全体像を示す斜視図である。
【発明を実施するための形態】
【００１８】
本発明の実施例を以下に説明する。
【実施例１】
【００１９】
図１は、本発明の実施例１における実験台の全体像を示す斜視図であり、図２（ａ）は、シンクから取り外された蓋部材の収納状態を示す斜視図であり、図２（ｂ）は、コア部のシンク上部に蓋部材を取り付けた斜視図であり、図３（ａ）は、蓋部材の背面図であり、図３（ｂ）は、図３（ａ）のＡ−Ａ線の側断面図であり、図４は、蓋部材をコア部の前面に取り付ける過程を示す要部拡大側面図であり、図５は、蓋部材をシンクに取り付ける過程を示す要部拡大側面図である。
【００２０】
図１に示されるように実験台１は、特に学校等の理化学の実験室および研究室に複数台設置され、例えば複数の人数で共同実験を行う際に利用される多機能な実験台であり、研究者や実習生の研究および実験等に使用される。以下、本実施例の説明において、図１に図示された上方が開放されたシンク８に対面した状態で見て、シンク８の手前側を前方とし、シンク８の奥行き側を後方とし、左手側を左方、右手側を右方として説明する。
【００２１】
この実験台１は、床面２５に載置固定されたコア部２と、このコア部２の左右側面部２ｄ，２ｃに各々隣接し、一体となるように設けたテーブル１１，１１からなり、これらテーブル１１，１１は左右の長さ方向に延びる矩形の天板１２と、天板１２の下面１２ａの角部に各々設けられた脚体である４本の脚柱１４とで構成され、コア部２の前後幅とテーブル１１の前後幅が互いに整合されるように略同一幅で形成されており、実験台１の周囲で実験等の作業を行う使用者側に突出しない構成となっているので、服の引っ掛かりや怪我の防止がなされている。
【００２２】
コア部２の上部には上向きに開口されるシンク８が、コア部２に一体で設けられているとともに、シンク８の不使用時にはシンク８の上方に矩形の板状の蓋部材１８を取り付けることで、シンク８を閉蓋することができる。この蓋部材１８の上面には、金属棒の折曲げによりコ字状に形成された一対の把手１９，１９が左右の長さ方向に離間して、上方に突出されるように２つ取り付けられている。
【００２３】
この蓋部材１８は把手１９，１９を利用して持ち上げられ移動可能になっており、蓋部材１８の背面には緩衝性の高い弾性部材（例えばゴム）からなる突起２１，２１は左右２カ所に上下方向に並んで４個設けられ、蓋部材１８の背面から突出している。コア部２の前面部２ａの上部には、金属棒の折曲げにより形成された一対の上面視コ字状の被係合部３，３が左右方向に所定間隔されて取り付けられている。
【００２４】
図２（ａ）に示されるように、コア部２の上面部２ｅの前方には水およびお湯を供給可能な蛇口８ａを備えたシンク８が設けられ、中間位置に左右一対でガスバーナー等が接続可能なガス栓１０，１０が設けられている。この上面部２ｅの後方には特に図示しない前方と同じシンクが前後対称に備えられ、このシンクを特に使用しない場合には、図示されるようにシンクの上部が蓋部材１８で閉蓋され、この蓋部材１８の上面はテーブルとして利用される。
【００２５】
蛇口８ａの不使用時には蛇口８ａを回動してシンク８内に収納可能になっている（図４参照）。コア部２内には蛇口８ａには水道管，ガス栓１０にはガス管，シンク８には配水管がそれぞれ接続されており、これら管は床面２５の下方に向けて配管されている。コア部２の右側面部２ｃには、前後の幅方向において前後に所定間隔離間して、電気を給電可能なコンセント４，４が形成されており、実験器具が接続可能になっている。同様にして、コア部２の右側面部２ｄにも、右側面部２ｃに対向した位置に特に図示しないコンセント４，４が設けられている。
【００２６】
このシンク８の使用状態において、蓋部材１８は予めシンク８の外周枠８ｄおよび内周面８ｃの上端部から取り外され、図示されるようにコア部２の前面部２ａに沿って略垂直状態で立設するように支持されている。したがって蓋部材１８が前方に突出されることなく保持され、シンク８を利用する使用者に邪魔になることなくコア部２に収納される。尚、この前面部２ａでの蓋部材１８の支持については、後述において具体的に説明する。
【００２７】
シンク８の不使用状態においては、図２（ｂ）に示されるように、コア部２の前面部２ａから取り外された蓋部材１８がシンク８の外周枠８ｄに載置されるとともに、シンク８の内周面８ｃに突起２１，２１が嵌合することで移動不能に固定され、上面部２ｅと等高で床面２５に対して水平となっている。コア部２の後方の蓋部材１８も同様の構造を有し前方の蓋部材１８と同じ作用をする。
【００２８】
前面部２ａは床面２５に対して垂直となっており、さらにシンク８の前面よりも前方に突出しない構成になっていることから、蓋部材１８をシンク８側からコア部２の前面部２ａ側に沿うように下方に移動させるだけで、円滑に移動可能になっている。尚、前面部２ａに設けられた被係合部３，３は蓋部材１８を支持する部材である［図２（ｂ）参照］。
【００２９】
そこで、図３に基づいて蓋部材１８について具体的に説明すると、図３（ａ）に示されるように、蓋部材１８の背面には左右上下の各角部側に突起２１がネジ２４の螺合によって固着されている。上下方向にある２つの突起２１は左右に一対ずつ設けられ、左右の突起２１，２１間の離間間隔はシンク８の内周面８ｃに嵌合される間隔幅に調整されている。前述した蓋部材１８の左右一対の把手１９，１９は、上方側の突起２１，２１の近傍位置にネジ２３，２３により背面側から螺合されている。
【００３０】
上方側の突起２１，２１よりも若干内側位置には、板金の折曲形成によって構成された係合部である係合片２０，２０が、ネジ２２を介して蓋部材１８の背面に固着され、図３（ｂ）に示されるように、係合片２０は下向きコ字状となるように形成されている。この係合片２０の近傍に位置する突起２１の後端は、係合片２０よりも後方に向けてやや長く突設されている。
【００３１】
また、把手１９の形状を蓋部材１８の上面と略平行な把持部を有する把手１９とし、前述した蓋部材１９がシンク８の上方に載置された位置において、前後方向を向く把持部を持つ側面視コ字状に形成したことで、簡便に手の一部を挿し入れて握り易い形状になっており、蓋部材１８を移動する際にも使用者の袖等にも引っ掛かる虞がなく、容易に蓋部材１８の後述において説明する着脱操作を行える把手１９となっている。
【００３２】
また蓋部材１８をシンク８に載置したときに把手１９が後方に位置するので、蓋部材１８を持ち上げてシンク８の前面部２ａに支持させる際も、蓋部材１８の後方側が大きく移動するだけで前端側の移動は少ないので、この移動操作時に蓋部材１８が使用者に接触する危険性が回避されている。
【００３３】
図４に示されるように、シンク８の使用時における蓋部材１８の前面部２ａへの装着支持について説明する。シンク８を利用するには、まず蓋部材１８をシンク８の外周枠８ｄから取り外し、把手１９を持って蓋部材１８を垂直方向に立設させる。この時、把手１９が蓋部材１８の上面と略平行に取り付けられているので、蓋部材１８を持ち上げた際に、把手１９を握った向きと蓋部材１８の面とが、常に同じ平行な向きとなるので、シンク８の外周枠８ｄからコア部２の前面２ａまでの移動操作を行い易くなっている。
【００３４】
さらに、把手１９の取り付け方向を前後に向けて設けたことで、蓋部材１８を外周枠８ｄから前面２ａに略垂直状態で支持する際に、蓋部材１８を把手１９の前後方向に沿ってシンク８の前方に移動しながら、さらに蓋部材１８を前面２ａに沿うように円滑に回動して略垂直状態に操作できるので、この操作時に蓋部材１８を大きく回動させることなく移動でき、蓋部材１８の前端側の使用者に当接する危険性が回避されている。そこで、蓋部材１８を上方から下方に向けて移動させながら、前面部２ａの被係合部３に蓋部材１８の背面の係合片２０を係合させることで、蓋部材１８が前面部２ａに支持されるとともに、突起２１，２１の先端が前面部２ａに当接される。
【００３５】
コア部２の前面部２ａに蓋部材１８が略垂直で支持された状態では、突起２１が係合片２０の後部よりも後方に向けて突設されていることから、係合片２０が前面部２ａに対して直に当接することが避けられるので、前面部２ａを傷めることが未然に防止されるとともに、突起２１によって蓋部材１８が安定して前面部２ａに保持される。
【００３６】
しかも、被係合部３が上面視コ字状の形状のため、蓋部材１８をシンク８側からコア部２の前面に沿うように下方に移動させるだけで、係合片２０が被係合部３に案内され円滑に係合されるとともに、その係合の解除も蓋部材１８を上方に持ち上げ移動させるだけで、被係合部３から係合片２０の係合の解除を簡便に行える。
【００３７】
また、突起２１は緩衝性の高い弾性部材によって構成されているので、蓋部材の着脱を長期に渡り繰り返し行っても、突起２１と当接するコア部２の前面部２ａを傷めることがない。そして、蓋部材１８の取り付け完了後に、シンク８内から蛇口８ａを上方に向けて揺動し立設することで、シンク８を使用可能とすることができる。
【００３８】
次いで、図５に示されるように、シンク８の不使用時における蓋部材１８のシンク８上への載置保持について説明する。まず、蛇口８ａを下方に向けて揺動しシンク８内に収納する。そして、把手１９を利用して蓋部材１８を前面部２ａから上方に移動させながら、さらに、蓋部材１８をシンク８の外周枠８ｄの上面に沿うように、床面２５に対して略水平になるように回動することで、蓋部材１８を大きく回動させることなく移動でき、蓋部材１８の下端側の使用者に当接する危険性が回避され、シンク８の外周枠８ｄの後方に向けて移動され載置される。
【００３９】
そして、シンク８の外周枠８ｄに蓋部材１８が取り付けられ、突起２１，２１がシンク８の内周面８ｃに嵌合されるので、シンク８に安定して蓋部材１８が保持されガタツキも防止されるとともに、安易にシンク８から蓋部材１８の取り外れが防止される。しかも、突起２１は緩衝性の高い弾性部材によって構成されているので、蓋部材１８の着脱を長期に渡り繰り返し行っても、突起２１と嵌合するシンク８の内周面８ｃを傷めることがない。
【００４０】
したがって、シンク８の不使用時には、シンク８の上方に蓋部材１８が取り付けられるのでシンク８が閉塞され、この蓋部材１８をテーブルとしても利用できるので、シンク８の上方のスペースを有効に活用できる。しかも、シンク８に蓋部材１８を取り付けた状態においては、図１に示されるテーブル１１の天板１２と、蓋部材１８との上面が面一となるように、蓋部材１８と天板１２との高さ位置を共通とすることで、テーブル１１として利用できる範囲を広げることができる。
【００４１】
以上の説明により実施例１では、コア部２の前面部２ａに被係合部３を設けたことで、シンク８の不使用状態から使用状態への切替えを迅速かつ簡便に行えるとともに、被係合部３に係合部２０が係合されるので、前面部２ａに沿って蓋部材１８を略垂直状態で支持することができ邪魔になることもない。
【００４２】
しかも、把手１９を蓋部材１８に突出して設けたことで把持し易くなるとともに、この把手１９を握ることで容易に蓋部材１８を持ち上げて、シンク８の上方とコア部２の前面との間での移動操作を簡便に行うことができる。さらに、シンク８はコア部２に一体で設けられるので、水や液体等がコア部２の内部に入り込むことはなく利用できる。
【実施例２】
【００４３】
次に、本発明の実施例２を図６に基づいて説明する。図６は、本発明の実施例２における蓋部材をコア部に取り付けた斜視図である。なお、以下の実施例２において前述の実施例１と同様の構造部分に関しては、同一の符号を付すことにより詳細な説明は省略することにする。
【００４４】
図６に示されるように、シンク８の不使用状態においては、前後の蓋部材１８’，１８’にそれぞれ一対のコ字状の把手１９’，１９’が、ガス栓１０，１０が設けられた上面板２ｅ側に近接して配置され、コア部２の左右幅方向に向いて設けられている。このようにして、把手１９’，１９’をコア部２の前後側から極力遠ざけて中央側に配置し、かつコア部２の左右幅方向に向いていることで、蓋部材１８’，１８’の上面のスペースをさらに拡大することができる。
【００４５】
そこで、このスペースを利用する利用者が、コア部２に取り付けやたテーブル１１の天板１２（図１参照）と、ほとんど違和感を生じることなく一体化して利用することができる。また、シンク８の使用時には、把手１９’，１９’のコ字状内に前後方向に向けて手の一部を挿し入れることで、前述した実施例１の把手１９，１９と略同様にして簡便に把持可能な操作性となっている。
【実施例３】
【００４６】
次に、本発明の実施例３を図７に基づいて説明する。図７は、本発明の実施例３における実験台の全体像を示す斜視図である。なお、以下の実施例３において前述の実施例１と同様の構造部分に関しては、同一の符号を付すことにより詳細な説明は省略することにする。
【００４７】
図７に示されるように、コア部２’には上面視コ字状の上面部２ｅ’の前方にシンク８、後方にガス栓１０が一つずつ形成され、コア部２’の後面部２ｂに脚柱１４によって支持されるテーブル１１が連結され、上記の実施例１，２とは形態の異なる実験台１’が構成されている。このように、形態の異なる実験台１’であっても、シンク８がコア部２の前方に一体で形成されることで、シンク８の不使用時に蓋部材１８をシンク８の上方に取り付けるだけでシンク８が閉蓋され、蓋部材１８のシンク８上方からシンク８前方の被係合部（図示略）までの移動および着脱作業を繰り返しスムーズに行える。
【００４８】
さらに、蓋部材１８と上面部２ｅ’が面一となるように、蓋部材１８と上面部２ｅ’との高さ位置を共通とすることで、コア部２’を単体のテーブルとして利用できる。そして天板１２の左右幅と上面部２ｅ’の幅を同等幅とすることで、図示されるように両者が連結されると蓋部材１８および上面部２ｅ’がテーブル１１の天板１２の一部として利用できる。
【００４９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、蓋部材１８が垂直状態時に係合部を下向き係合片２０をとし、コア部２の前面部２ａの被係合部３を上面視コ字状としたことで、蓋部材１８を上方から下方に向けて円滑に取り付け易いことから好ましいが、本発明はこれに限定されるものではなく、前面部の被係合部を上向きに折り曲げ形成された係止片とし、蓋部材の係合部を上面視コ字状として両者を係合させても良く、この場合においても蓋部材をシンク側から下方（コア部）に移動させるだけで、係合片が被係合部に円滑に案内され係合されるとともに、その係合の解除も蓋部材を上方に移動させるだけで簡便に行える。
【００５０】
また、上記実施例では、把手１９の形状をコ字状に形成したことで、手の一部を挿し入れて握り易い形状になっており、使用者の袖等にも引っ掛かる虞なく蓋部材１８の着脱を容易に行えることから好ましいが、本発明はこれに限定されるものではなく、他の把手の形状としてＬ字やＴ字状のハンドルでも使用可能であり、蓋部材を持ち上げることができる握り部材があればどの様な構造であっても良いし、更に言うならば、蓋部材１８，１８’に把手１９，１９’を設けない構成で蓋部材を直に使用者が移動させても良い。
【００５１】
また、上記実施例では、コア部２にシンク８を前後一対で設けているが、本発明はこれに限定されるものではなく、コア部２のシンク８は一つでも良く、このシンク８の後方位置に従来公知のガスコンロを設置して、コア部２の多機能化をはかり利便性を高めるような構成にしても良い。
【００５２】
また、上記実施例では、蓋部材１８の背面側に上下方向にある２つの突起２１が左右に一対設けられているが、突起の数や取り付け位置は蓋部材１８の形状により適宜選定される。
【００５３】
さらに、コア部に隣接したテーブルはコア部と一体に設けたものであっても、あるいは別体のテーブルをコア部に着脱自在に接続したものであっても、もしくは別体のテーブルをコア部に単に隣接して置いたもののいずれであってもよい。
【符号の説明】
【００５４】
１、１’              実験台
２、２’              コア部
２ａ                  前面部
２ｂ                  後面部
２ｃ                  右側面部
２ｄ                  左側面部
２ｅ、２ｅ’          上面部
３                    被係合部
４                    コンセント
８                    シンク
８ａ                  蛇口
８ｃ                  内周面
８ｄ                  外周枠
１０                  ガス栓
１１                  テーブル
１２                  天板
１２ａ                下面
１４                  脚柱
１８                  蓋部材
１９、１９’          把手
２０                  係合片（係合部）
２１                  突起
２２，２３，２４      ネジ
２５                  床面
【図１】
0005220913.tif 000002
【図２】
0005220913.tif 000003
【図３】
0005220913.tif 000004
【図４】
0005220913.tif 000005
【図５】
0005220913.tif 000006
【図６】
0005220913.tif 000007
【図７】
0005220913.tif 000008